(57)【要約】【課題】運転者に煩雑感を与えずに、且つ、一つの車輌用計器装置で複数の単位を表示することが可能な車輌用計器装置を提供する。【解決手段】スピードメータ１は、車速値をｋｍ／ｈ表示するキロ表示面１１ａ〜１１ｃ、及び、車速値をＭＰＨ表示するマイル表示面１２ａ〜１２ｃをそれぞれ有し、当該各表示面１１ａ〜１１ｃ、１２ａ〜１２ｃが非同心上に設けられた３つの文字板１０ａ〜１０ｃと、各表示面１１ａ〜１１ｃ、１２ａ〜１２ｃの文字及び目盛りを指示する指針２０と、当該指針２０を所定平面上で回転させるムーブメント３０と、各文字板１０ａ〜１０ｃを支持する回転軸１６ａ〜１６ｃと、各文字板１０ａ〜１０ｃが有する何れかの表示面１１ａ〜１１ｃ、１２ａ〜１２ｃを、指針２０が回転する前記所定平面に対向させるように、各回転軸１６ａ〜１６ｃを介して各文字板１０ａ〜１０ｃを回転させる文字板駆動用モータ１７ａ〜１７ｃと、を備えている。【選択図】図１
2005062036.tif 000002
【特許請求の範囲】
【請求項１】
文字及び／又は目盛りが形成された複数の表示面を有し、前記各表示面が非同心上に設けられた文字板と、
前記表示面に形成された文字及び／又は目盛りを指示する指針と、
前記指針を所定平面上で回転させるムーブメントと、
前記文字板を支持する回転軸と、
前記文字板が有する任意の表示面を前記所定平面に対向させるように、前記回転軸を介して前記文字板を回転させる駆動部と、を少なくとも備えた車輌用計器装置。
【請求項２】
前記表示面の文字及び／又は目盛りは、前記文字板の裏面から表面へ光を透過する透光部を有し、
前記車輌用計器装置は、
前記文字板の裏面側に設けられた光源と、
前記光源から発生した光を前記透光部に反射するように、前記文字板の端部に延設された反射手段と、をさらに備えた請求項１記載の車輌用計器装置。
【請求項３】
前記表示面の文字及び／又は目盛りは、前記文字板の裏面から表面に光を透過する透光部を有し、
前記車輌用計器装置は、
前記文字板の裏面側に設けられた複数の光源と、
前記駆動部の回転に基づいて、前記複数の光源の中から点灯する光源を切り替える制御手段と、をさらに備えた請求項１記載の車輌用計器装置。
【請求項４】
同一の単位を示す表示面が分割され、当該分割された表示面がそれぞれ設けられた複数の文字板と、
前記各文字板をそれぞれ支持する複数の回転軸と、
前記分割された同一の単位を示す表示面を統合するように、前記各回転軸を介して前記各文字板をそれぞれ回転させる複数の駆動部と、をさらに備えた請求項１〜３の何れかに記載の車輌用計器装置。
【発明の詳細な説明】
【技術分野】
【０００１】
本発明は、表示面に形成された文字及び／又は目盛りを指針が指示する車輌用計器装置に関する。
【背景技術】
【０００２】
従来から複数国に出荷される車輌では、それぞれの国で常用されている全ての速度単位に対応するために、ｋｍ／ｈ表示（以下、単に、キロ表示とも称する。）とＭＰＨ表示（以下、単に、マイル表示とも称する。）との２つの単位の目盛りを一つの文字板に形成した速度表示用計器（以下、スピードメータとも称する。）を当該車輌に設けることが一般的に行われている。
【０００３】
しかしながら、上記のように一つの文字板に２つの目盛りを付すると、同心上に目盛りが二重に配置されるため、内側に配置した目盛りが見え難くなったり、また、指針の長さを一方の目盛りに合わせると、他方の目盛りが読み難くなる等の運転者に煩雑感を与えるという問題があった。
【０００４】
これに対し、各単位毎に独立したスピードメータを設ける方策も考えられるが、当該メータが単位数分増加するため、スピードメータのレイアウトの困難性が問題となる。
【発明の開示】
【０００５】
本発明は、表示面に表示された文字及び／又は目盛りを指針が指示する車輌用計器装置に関し、特に、運転者に煩雑感を与えずに、且つ、一つの車輌用計器装置で複数の単位を表示することが可能な車輌用計器装置を提供することを目的とする。
上記目的を達成するために、本発明によれば、文字及び／又は目盛りが形成された複数の表示面を有し、前記各表示面が非同心上に設けられた文字板と、前記表示面に形成された文字及び／又は目盛りを指示する指針と、前記指針を所定平面上で回転させるムーブメントと、前記文字板を支持する回転軸と、前記文字板が有する任意の表示面を前記所定平面に対向させるように、前記回転軸を介して前記文字板を回転させる駆動部と、を少なくとも備えた車輌用計器装置が提供される。
【０００６】
本発明では、一つの文字板に非同心上に複数の表示面を設け、指針が回転する所定平面に任意の表示面が対向するように、駆動部が回転軸を介して前記文字板を回転させる。
【０００７】
これにより、車輌用計器装置において運転者が視認可能な表示エリア、即ち、指針が回転する所定平面に対して、複数の単位を任意に切り替えて表示することが可能となり、運転者に煩雑感を与えることなく、且つ、一つの車輌用計器装置で複数の単位を表示することが可能となる。
【発明を実施するための最良の形態】
【０００８】
以下、本発明の実施形態を図面に基づいて説明する。
【０００９】
［第１実施形態］
図１は本発明の第１実施形態に係るスピードメータの斜視図、図２は図１に示すスピードメータをマイル表示に切り替えた状態を示す斜視図、図３は図１のIII-III線に沿った部分断面図であり、図３（Ａ）はキロ表示をした状態のスピードメータの部分断面図、図３（Ｂ）はマイル表示をした状態のスピードメータの部分断面図、図４は本発明の第１実施形態に係るスピードメータの全体システムを示すブロック図である。
【００１０】
本発明の第１実施形態に係るスピードメータ１（車輌用計器装置）は、車輌の運転者に対して当該車輌の速度を視覚的に表示するための計器装置であり、図１〜図４に示すように、車速センサ９０により検出された車速値をｋｍ／ｈ表示するための文字及び目盛りが形成されたキロ表示面１１ａ〜１１ｃ、及び、当該検出された車速値をＭＰＨ表示するための文字及び目盛りが形成されたマイル表示面１２ａ〜１２ｃの、車速値を２つの単位で表す表示面をそれぞれ有し、当該各表示面１１ａ〜１１ｃ、１２ａ〜１２ｃが非同心上に重複しないようにそれぞれ設けられた３つの文字板１０ａ〜１０ｃと、各表示面１１ａ〜１１ｃ、１２ａ〜１２ｃに形成された文字及び目盛りを指し示す指針２０と、当該指針２０を所定平面上、即ち、運転者が視認する表示エリアで回転させるムーブメント３０と、前記各文字板１０ａ〜１０ｃをそれぞれ支持する回転軸１６ａ〜１６ｃと、各回転軸１６ａ〜１６ｃを介して各文字板１０ａ〜１０ｃをそれぞれ回転させる文字板駆動用モータ１７ａ〜１７ｃ（駆動部）と、前記指針２０により指示されているキロ表示面１１ａ〜１１ｃ又はマイル表示面１２ａ〜１２ｃの文字及び目盛りを運転者に向かって光輝させるように、当該表示面１１ａ〜１１ｃ、１２ａ〜１２ｃの裏面を照射する照明光源４０と、スピードメータ１に表示される単位を、キロ表示又はマイル表示のうちの運転者が所望する単位に切り替えるためのスイッチ５０と、各文字板駆動用モータ１７ａ〜１７ｃを駆動制御するモータ制御部６０と、前記ムーブメント３０を駆動制御するムーブメント制御部７０と、を備えており、運転者がスイッチ５０をオン／オフ操作することにより、各文字板駆動用モータ１７ａ〜１７ｃが駆動し、図１及び図２に示すように、各文字板１０ａ〜１０ｃの表示をキロ表示１１ａ〜１１ｃ又はマイル表示１２ａ〜１２ｃに切り替え、運転者の所望する単位で車速を表示することが可能な装置である。
【００１１】
本実施形態に係るスピードメータ１の第１〜第３の文字板１０ａ〜１０ｃは、図１、図２、図３（Ａ）及び図３（Ｂ）に示すように、外側の２つの面に表示面１１ａ〜１１ｃ、１２ａ〜１２ｃがそれぞれ形成された略Ｌ字断面形状をそれぞれ有しており、各文字板駆動用モータ１７ａ〜１７ｃの駆動力により回転可能なように、その略中央部で第１〜第３の回転軸１６ａ〜１６ｃにそれぞれ支持されている。なお、図１に示すように、各回転軸１６ａ〜１６ｂの各文字板１０ａ〜１０ｃを支持していない反対側の端部には、各文字板駆動用モータ１７ａ〜１７ｃの駆動軸の歯車と咬合する歯車がそれぞれ取り付けられており、また、特に図示しないが、各回転軸１６ａ〜１６ｃは、例えば、軸受けを介して、後述するスピードメータ１のケース５等に回転自在にそれぞれ保持されている。
【００１２】
この各文字板１０ａ〜１０ｃの運転者に対して対向可能な一方の面には、一つのキロ表示用メータを３つに分割した第１〜第３のキロ表示面１１ａ〜１１ｃがそれぞれ形成されており、図１に示すように、各回転軸１６ａ〜１６ｃを介して、各文字板駆動用モータ１７ａ〜１７ｃが各文字板１０ａ〜１０ｃを回転させ、各文字板１０ａ〜１０ｃの各キロ表示面１１ａ〜１１ｃを統合させることにより、スピードメータ１において一つのキロ表示用メータが構成されるようになっている。
【００１３】
これに対し、各文字板１０ａ〜１０ｃの運転者に対して対向可能な他方の面には、一つのマイル表示用メータを３つに分割した第１〜第３のマイル表示面１２ａ〜１２ｃがそれぞれ形成されており、図２に示すように、各回転軸１６ａ〜１６ｃを介して、各文字板駆動用モータ１７ａ〜１７ｃが各文字板１０ａ〜１０ｃを回転させ、各文字板１０ａ〜１０ｃの各マイル表示面１２ａ〜１２ｃを統合させることにより、スピードメータ１において一つのマイル表示用メータが構成されるようになっている。
【００１４】
この各文字板１０ａ〜１０ｃの各表示面１１ａ〜１１ｃ、１２ａ〜１２ｃには、図３（Ａ）及び図３（Ｂ）に示すように、透光性の基材１３の表面の文字及び目盛りの部分をマスキングし、当該文字及び目盛り以外の部分に遮光性塗料１４を印刷することにより、文字及び目盛りの部分に透光部１５が形成されており、照明光源４０が各キロ表示面１１ａ〜１１ｃ又は各マイル表示面１２ａ〜１２ｃの裏面で点灯すると、当該各表示面１１ａ〜１１ｃ又は１２ａ〜１２ｃの文字及び目盛り以外の部分が遮光性塗料１４により遮光され、当該透光部１５のみが透光されて、運転者に対して当該文字及び目盛りのみを光輝させることが可能となっている。
【００１５】
また、本実施形態では、各文字板１０ａ〜１０ｃの略Ｌ字断面形状の両端部には、図１〜図３に示すように、例えば鏡面等を有する反射板１８（反射手段）が、各表示面１１ａ〜１１ｃ、１２ａ〜１２ｃの裏面からに対して直角に突出するように延設されており、当該反射板１８が、光輝させるべくキロ表示面１１ａ〜１１ｃ又はマイル表示面１２ａ〜１２ｃに、照明光源４０からの光を反射させて、当該キロ表示面１１ａ〜１１ｃ又はマイル表示面１２ａ〜１２ｃの全面を照射することが可能となっている。
【００１６】
本実施形態に係るスピードメータ１の照明光源４０は、例えば、通常用いられる可視光線を発する光源であり、図３（Ａ）及び図３（Ｂ）に示すように、各文字板１０ａ〜１０ｃの裏面に向かって光を照射可能なように、例えば当該スピードメータ１のケース５等に固定されている。なお、図３（Ａ）及び図３（Ｂ）には第２及び第３の文字板１０ｂ、１０ｃについて特に図示していないが、この照明光源４０は、第１〜第３の文字板１０ａ〜１０ｃの裏面に、それぞれ一つずつ設けられており、本実施形態に係るスピードメータ１には、合計３個の照明光源４０が設けられている。
【００１７】
本実施形態に係るスピードメータ１の第１〜第３の文字板駆動用モータ１７ａ〜１７ｃ（駆動部）は、例えば、スピードメータ１のケース５等に固定されており、図１及び図２に示すように、その駆動軸の先端部の歯車を、上述の各回転軸１６ａ〜１６ｃの端部に取り付けられた歯車に咬合させて、図４に示すように、モータ制御部６０からの制御指令に基づいて、当該モータ１７ａ〜１７ｃの駆動力により、各回転軸１６ａ〜１６ｃを介して、各文字板１０ａ〜１０ｃを回転させて、当該各文字板１０ａ〜１０ｃの各表示面１１ａ〜１１ｃを切り替えることが可能となっている。
【００１８】
本実施形態に係るスピードメータ１の指針２０は、運転者が視認可能な表示エリアである所定平面上を、ムーブメント５０の駆動力により回転可能に設けられており、図１及び図２に示すように、運転者により選択された、各文字板１０ａ〜１０ｃの各キロ表示面１１ａ〜１１ｃ又は各マイル面１２ａ〜１２ｃの文字及び目盛りを指し示すことが可能となっている。
【００１９】
本実施形態に係るスピードメータ１のスイッチ５０は、図４に示すように、その一端が接地され、その他方がモータ制御部６０及びムーブメント制御部７０に接続されている。そして、このスイッチ５０と、モータ制御部６０及びムーブメント制御部７０との間の接続線は、イグニッション電源ＩＧＮにより電圧が印可されるようになっており、当該スイッチ５０の運転者によるオン／オフ操作により、スピードメータ１のキロ表示／マイル表示の表示切替が行われる。本実施形態においては、当該スイッチ５０がオンの場合は、スピードメータ１がキロ表示により表示され、当該スイッチ５０がオフの場合は、スピードメータ１がマイル表示により表示されるように構成されている。
【００２０】
本実施形態に係るスピードメータ１のモータ制御部６０は、図４に示すように、スイッチ５０のオン／オフに基づいて、第１〜第３の文字板駆動用モータ１７ａ〜１７ｃを駆動制御可能なように、スイッチ５０及び各文字板駆動用モータ１７ａ〜１７ｃに接続されている。
【００２１】
本実施形態に係るスピードメータ１のムーブメント制御部７０は、図４に示すように、スイッチ５０のオン／オフに基づいて、車速センサ９０から入力された車速値から、選択されたｋｍ／ｈ単位又はＭＰＨ単位に対応する指針２０の回転角度を演算し、当該演算値に基づいてムーブメント５０を駆動制御可能なように、スイッチ５０、車速センサ９０及びムーブメント５０に接続されている。
【００２２】
以下に作用について説明する。
【００２３】
車輌の運転者が、スイッチ５０をオンに操作した場合、先ず、モータ制御部６０が、当該スイッチ５０に接続された端子の電圧を検出することによりスイッチ５０のオン操作を判断し、当該判断に基づいて、スピードメータ１をキロ表示するために各文字板駆動用モータ１７ａ〜１７ｃを駆動させるように制御する。
【００２４】
このモータ制御部６０からの制御指令に基づいて、図１に示すように、第１の文字板駆動用モータ１７ａが駆動して、第１の回転軸１６ａを介して、第１の文字板１０ａを同図中の手前下方向に回転させ、指針２０が回転する所定平面に対して、第１のキロ表示面１１ａを対向させる。
【００２５】
また、前記モータ制御部６０からの制御指令に基づいて、図１に示すように、第２の文字板駆動用モータ１７ｂが駆動して、第２の回転軸１６ｂを介して、第２の文字板１０ｂを同図中の手前右方向に回転させ、指針２０が回転可能な所定平面に対して、第２のキロ表示面１１ｂを対向させる。
【００２６】
さらに、前記モータ制御部６０からの制御指令に基づいて、図１に示すように、第３の文字板駆動用モータ１７ｃが駆動して、第３の回転軸１６ｃを介して、第３の文字板１０ｃを同図中の手前左方向に回転させ、指針２０が回転可能な所定平面に対して、第３のキロ表示面１１ｃを対向させる。
【００２７】
これら第１〜第３の文字板駆動用モータ１７ａ〜１７ｃの駆動により、図１に示すように、指針２０が回転可能な所定平面、即ち、運転者が視認可能な表示エリアに、第１〜第３の文字板１０ａ〜１０ｃの各キロ表示面１１ａ〜１１ｃにより一つのキロ表示メータが構成される。
【００２８】
この状態において、照明光源４０から発せられる光は、第１の文字板１０ａを例にとって説明すると、図３（Ａ）に示すように、第１のキロ表示面１１ａ側の端部に延設された反射板１８で反射され、当該第１のキロ表示面１１ａの裏面全体が照射される。そして、当該照射された光は、透光性の基材１３全体を透過するが、当該第１のキロ表示面１１ａの文字及び目盛り以外の部分に印刷された遮光性塗料１４により遮光されて、第１のキロ表示面１１ａの透光部１５のみを透過し、当該第１のキロ表示面１１ａの文字及び目盛りの部分のみが運転者に対して光輝する。
【００２９】
また、第２及び第３のキロ表示面１１ｂ、１１ｃについても同様に、特に図示しないが、当該第２及び第３のキロ表示面１１ｂ、１１ｃの裏面にそれぞれ設けられた照明光源４０から発せられた光が、当該第２及び第３のキロ表示面１１ｂ、１１ｃ側の端部に延設された反射板１８で反射され、当該第２及び第３のキロ表示面１１ｂ、１１ｃの裏面全体を照射し、当該照射された光が、第２及び第３のキロ表示面１１ｂ、１１ｃの透光部１５のみを透過して、当該第２及び第３のキロ表示面１１ｂ、１１ｃの文字及び目盛りの部分のみが運転者に対して光輝する。
【００３０】
そして、ムーブメント制御部７０が、スイッチ５０に接続された端子の電圧を検出することによりスイッチ５０のオン操作を判断し、当該判断に基づいて、車速センサ９０により検出された車速値から、運転者により選択されたｋｍ／ｈ単位に対応する指針２０の回転角度を演算し、ムーブメント５０を駆動させるように制御する。このムーブメント制御部７０からの制御指令に基づいて、ムーブメント５０が指針２０を、ｋｍ／ｈ単位に対応する回転角度分回転させて、指針２０がキロ表示面１１ａ〜１１ｃの文字及び目盛りを指示して、運転者に対して車輌の速度を示す。
【００３１】
これに対し、車輌の運転者が、スイッチ５０をオフに操作した場合には、先ず、モータ制御部６０が、当該スイッチ５０に接続された端子の電圧を検出してスイッチ５０のオフ操作を判断し、当該判断に基づいて、スピードメータ１をマイル表示にするために各文字板駆動用モータ１７ａ〜１７ｃを駆動させるように制御する。
【００３２】
このモータ制御部６０からの制御指令に基づいて、図２に示すように、第１の文字板駆動用モータ１７ａが駆動して、第１の回転軸１６ａを介して、第１の文字板１０ａを同図中手前上方向に回転させ、指針２０が回転する所定平面に対して、第１のマイル表示面１２ａを対向させる。
【００３３】
また、前記モータ制御部６０からの制御指令に基づいて、図２に示すように、第２の文字板駆動用モータ１７ｂが駆動して、第２の回転軸１６ｂを介して、第２の文字板１０ｂを同図中の手前左方向に回転させ、指針２０が回転可能な所定平面に対して、第２のマイル表示面１２ｂを対向させる。
【００３４】
さらに、前記モータ制御部６０からの制御指令に基づいて、図２に示すように、第３の文字板駆動用モータ１７ｃが駆動して、第３の回転軸１６ｃを介して、第３の文字板１０ｃを同図中の手前右方向に回転させ、指針２０が回転可能な所定平面に対して、第３のマイル表示面１２ｃを対向させる。
【００３５】
これら第１〜第３の文字板駆動用モータ１７ａ〜１７ｃの駆動により、図２に示すように、指針２０が回転可能な所定平面、即ち、運転者が視認可能な表示エリアに、第１から第３の文字板１０ａ〜１０ｃの各マイル表示面１２ａ〜１２ｃにより一つのマイル表示メータが構成される。
【００３６】
この状態において、照明光源４０から発せられる光は、第１の文字板１０ａを例にとって説明すると、図３（Ｂ）に示すように、第１のマイル表示面１２ａ側の端部に延設された反射板１８で反射され、当該第１のマイル表示面１２ａの裏面全体が照射される。そして、当該照射された光は、透光性の基材１３を透過するが、当該第１のマイル表示面１２ａの文字及び目盛り以外の部分に印刷された遮光性塗料１４により遮光されて、第１のマイル表示面１２ｂの透光部１５のみを透過し、当該第１のマイル表示面１２ａの文字及び目盛りの部分のみが運転者に対して光輝する。
【００３７】
また、第２及び第３のマイル表示面１２ｂ、１２ｃについても同様に、特に図示しないが、当該第２及び第３のマイル表示面１２ｂ、１２ｃの裏面にそれぞれ設けられた照明光源４０から発せられた光が、当該第２及び第３のマイル表示面１２ｂ、１２ｃ側の端部に延設された反射板１８で反射され、当該第２及び第３のマイル表示面１２ｂ、１２ｃの裏面全体を照射し、当該照射された光が、第２及び第３のマイル表示面１２ｂ、１２ｃの透光部１５のみを透過して、当該第２及び第３のキロ表示面１１ｂ、１１ｃの文字及び目盛りの部分のみが運転者に対して光輝する。
【００３８】
そして、ムーブメント制御部７０が、スイッチ５０に接続された端子の電圧を検出することによりスイッチ５０のオフ操作を判断し、当該判断に基づいて、車速センサ９０により検出された車速値から、運転者により選択されたＭＰＨ単位に対応する指針２０の回転角度を演算し、ムーブメント５０を駆動させるように制御する。このムーブメント制御部７０からの制御指令に基づいて、ムーブメント５０が指針２０を、ＭＰＨ単位に対応する回転角度分回転させて、指針２０がマイル表示面１２ａ〜１２ｃの文字及び目盛りを指示して、運転者に対して車輌の速度を示す。
【００３９】
以上のように、本実施形態では、一つの文字板に非同心上に複数の表示面を設け、指針が回転する所定平面に任意の表示面が対向するように、文字板駆動用モータが回転軸を介して前記文字板を回転させることにより、車輌用計器装置において運転者が視認可能な表示エリア、即ち、指針が回転する所定表面に、複数の単位を任意に切り替えて表示することが可能となり、運転者に煩雑感を与えることなく、且つ、一つの車輌用計器装置で複数の単位を表示することが可能となる。
【００４０】
また、例えば、電子表示デバイスを用いて一つの表示面で複数の単位を表示するように構成することも考えられるが、本実施形態では、このような構成と比較して安価に車輌用計器装置を構成することが出来る。
【００４１】
さらに、本実施形態では、各文字板に反射板を延設し、照明光源が発する光を当該反射板で反射させて、各表示面の裏面を照射することにより、光輝すべく表示面の裏面全面を照射することを可能となり、照明光源と表示面との間に、例えば回転軸のような障害物が介在しても、当該表示面の裏面全面を照射することが可能となる。
【００４２】
［第２実施形態］
図５は本発明の第２実施形態に係るスピードメータの部分断面図であり、図５（Ａ）はキロ表示した状態のスピードメータの部分断面図、図５（Ｂ）はマイル表示をした状態のスピードメータの部分断面図、図６は本発明の第２実施形態に係るスピードメータの全体システムを示すブロック図である。なお、図５（Ａ）は第１実施形態における図３（Ａ）に相当する部分断面図であり、図５（Ｂ）は第１実施形態における図３（Ｂ）に相当する部分断面図である。
【００４３】
本発明の第２実施形態に係るスピードメータ１ｂは、反射板１８が各文字板１０ａ〜１０ｃに延設されていない代わりに、図６に示すように、各文字板１０ａ〜１０ｃの裏面に２つの照明光源４０ａ、４０ｂがそれぞれ設けてあり、さらに当該２つの照明光源４０ａ、４０の点灯制御を行う照明制御部８０を備えている点で第１実施形態に係るスピードメータ１と異なり、その他の構成は第１実施形態に係るスピードメータ１の構成と同一である。以下に、第２実施形態に係るスピードメータ１ｂについて、第１実施形態に係るスピードメータ１との相違点についてのみ説明する。
【００４４】
本実施形態に係るスピードメータ１ｂは、図５（Ａ）及び図５（Ｂ）に示すように、第１〜第３の文字板１０ａ〜１０ｃの各キロ表示面１１ａ〜１１ｃの裏面を照射可能なように、第１の照明光源４０ａが、例えばスピードメータ１ｂのケース５等に取り付けられていると共に、当該第１〜第３の文字板１０ａ〜１０ｃの各マイル表示面１２ａ〜１２ｃの裏面を照射可能なように、第２の照明光源４０ｂが、例えばスピードメータ１ｂのケース５等に取り付けられている。なお、特に図示しないが、第１〜第３の文字板１０ａ〜１０ｃの裏面には２つの照明光源４０ａ、４０ｂがそれぞれ設けられており、本実施形態に係るスピードメータ１ｂには、合計６個の照明光源４０ａ、４０ｂが設けられている。
【００４５】
また、本実施形態に係るスピードメータ１ｂは、図６に示すように、スイッチ５０のオン／オフに基づいて、各キロ表示面１１ａ〜１１ｃの文字及び目盛り、又は、各マイル表示面１２ａ〜１２ｃの文字及び目盛りの何れかを光輝させるように、第１及び第２の照明光源４０ａ、４０ｂを点灯を制御する照明制御部８０を備えている。
【００４６】
本実施形態に係るスピードメータ１ｂでは、運転者がスイッチ５０をオンに操作した場合、第１実施形態に係るスピードメータ１と同様に、各文字板駆動用モータ１７ａ〜１７ｃが駆動して第１〜第３のキロ表示面１１ａ〜１１ｃを表示エリアに対向させ、一つのキロ表示メータを構成すると共に、ムーブメント制御部７０により演算されたｋｍ／ｈ単位に対応する回転角度分を指針２０が回転する。
【００４７】
さらに、本実施形態では、照明制御部８０が、スイッチ５０に接続された端子の電圧を検出することにより、運転者によるスイッチ５０のオン操作を判断し、当該判断に基づいて、各文字板１０ａ〜１０ｃの裏面に設けられた各第１の照明光源４０ａのみを点灯させるように照明制御部８０が制御する。この照明制御部８０からの制御指令に基づいて、図５（Ａ）に示すように、各第１の照明光源４０ａのみが点灯し、当該第１の照明光源４０ａから発せられた光が、当該第１〜第３のキロ表示面１１ａ〜１１ｃの透光部１５のみを透過して、当該第１〜第３のキロ表示面１１ａ〜１１ｃの文字及び目盛りの部分のみが運転者に対して光輝する。
【００４８】
これに対し、運転者がスイッチ５０をオフに操作した場合には、第２実施形態に係るスピードメータ１と同様に、各文字板駆動用モータ１７ａ〜１７ｃが駆動して第１〜第３のマイル面１２ａ〜１２ｃを表示エリアに対向させ、一つのマイル表示メータを構成すると共に、ムーブメント制御部７０により演算されたＭＰＨ単位に対応する回転角度分を指針２０が回転する。
【００４９】
さらに、本実施形態では、照明制御部８０が、スイッチ５０に接続された端子の電圧を検出することにより、運転者によるスイッチ５０のオフ操作を判断し、当該判断に基づいて、各文字板１０ａ〜１０ｃの裏面に設けられた各第２の正面光源４０ｂのみを点灯させるように照明制御部８０が制御する。この照明制御部８０からの制御指令に基づいて、図５（Ｂ）に示すように、各第２の照明光源４０ｂのみが点灯し、当該第２の照明光源４０ｂから発せられた光が、当該第１〜第３のマイル表示面１２ａ〜１２ｃの透光部１５のみを透過して、当該第１〜第３のマイル表示面１２ａ〜１２ｃの文字及び目盛りの部分のみが運転者に対して光輝する。
【００５０】
以上のように、本実施形態では、第１実施形態と同様に、一つの文字板に非同心上に複数の表示面を設け、指針が回転する所定平面に任意の表示面が対向するように、文字板駆動用モータが回転軸を介して前記文字板を回転させることにより、車輌用計器装置において運転者が視認可能な表示エリア、即ち、指針が回転する所定平面に、複数の単位を任意に切り替えて表示することが可能となり、運転者に煩雑感を与えることなく、且つ、一つの車輌用計器装置で複数の単位を表示することが可能となる。
【００５１】
また、第１実施形態と同様に、例えば、ディスプレイなどの電子表示デバイスを用いて一つの表示面で複数の単位を表示するように構成することも考えられるが、本実施形態では、このような構成と比較して安価に車輌用計器装置を構成することが出来る。
【００５２】
さらに、本実施形態では、各単位を構成する各表示面に対して、専用の照明光源をそれぞれ設けることにより、光輝すべく表示面の裏面全面を照射することを可能となる。
【００５３】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００５４】
例えば、上述の実施形態では、車輌用計器装置としてスピードメータについての適用例を説明したが、本発明では特にこれに限定されることなく、例えば、車輌のエンジンの回転するを表示するエンジン回転計、車輌に搭載された燃料の残量を表示する燃料計、或いは、エンジン冷却水の温度を表示する水温計等に適用しても良い。
【００５５】
また、上述の実施形態では、略Ｌ字断面形状の文字板に２つの表示面を形成するように説明したが、本発明では特にこれに限定されることなく、例えば、文字板を多面体とし、３つ以上の表示面を形成したり、或いは、平面状の文字板に２以上の表示面を非同心上に形成しても良い。
【００５６】
さらに、上述の実施形態では、文字板に平面状の表示面を形成するように説明したが、本発明では特にこれに限定されることなく、例えば、文字板に曲面状の表示面を形成しても良い。
【００５７】
また、上述の実施形態では、３つの文字板を組み合わせることにより一つの単位を示すスピードメータを構成するように説明したが、本発明では特にこれに限定されることなく、１つの文字板により一つの単位を示す車輌用計器装置を構成しても良く、又は、２つ或いは３つ以上の文字板を組み合わせて一つの単位を示す車輌用計器装置を構成しても良い。
【図面の簡単な説明】
【００５８】
【図１】図１は、本発明の第１実施形態に係るスピードメータの斜視図である。
【図２】図２は、図１に示すスピードメータをマイル表示に切り替えた状態を示す斜視図である。
【図３】図３は、図１のIII-III線に沿った部分断面図であり、図３（Ａ）は、キロ表示をした状態のスピードメータの部分断面図であり、図３（Ｂ）は、マイル表示をした状態のスピードメータの部分断面図である。
【図４】図４は、本発明の第１実施形態に係るスピードメータの全体システムを示すブロック図である。
【図５】図５は、本発明の第２実施形態に係るスピードメータの部分断面図であり、図５（Ａ）は、キロ表示をした状態のスピードメータの部分断面図であり、図５（Ｂ）は、マイル表示をした状態のスピードメータの部分断面図である。
【図６】図６は、本発明の第２実施形態に係るスピードメータの全体システムを示すブロック図である。
【符号の説明】
【００５９】
１…スピードメータ
５…ケース
１０ａ〜１０ｃ…第１〜第３の文字板
１１ａ〜１１ｃ…第１〜第３のキロ表示面
１２ａ〜１２ｃ…第１〜第３のマイル表示面
１３…基材
１４…遮光性塗料
１５…透光部
１６ａ〜１６ｃ…第１〜第３の回転軸
１７ａ〜１７ｃ…第１〜第３の文字板駆動用モータ
１８…反射板
２０…指針
３０…ムーブメント
４０…照明光源
５０…スイッチ
６０…モータ制御部
７０…ムーブメント制御部
８０…照明制御部
９０…車速センサ
ＩＧＮ…イグニッション電源
【図１】
2005062036.tif 000003
【図２】
2005062036.tif 000004
【図３】
2005062036.tif 000005
【図４】
2005062036.tif 000006
【図５】
2005062036.tif 000007
【図６】
2005062036.tif 000008